(57)【要約】    【課題】  収納スペースの縦・横方向の寸法を縮小することができるフォーム・ファクタを備えた可搬式回転円板形記憶装置を提供する。    【解決手段】  回転円板形記録媒体と該回転円板形記録媒体を収納し密閉空間を構成するケーシングとを備えるヘッド・ディスク・アセンブリ１２３を有する。さらに、回転円板形記録媒体の記録面にほぼ平行に配置され、ホスト・システムのコネクタに接続可能な接続パッドと前記ヘッド・ディスク・アセンブリの制御回路とを備え、前記ヘッド・ディスク・アセンブリに対してＦＣＰで接続され機械的に解放されているＰＣＢ１２５を有する。そして、ヘッド・ディスク・アセンブリとＰＣＢとを収納し接続パッドと整合する位置に開口部を備えるハウジン１２１、１３０を有することにより、上記課題を解決する。【選択図】      図９                                                  以上
2005063577.tif 000002
【特許請求の範囲】
【請求項１】
ホスト・システムのコネクタに接続して使用する回転円板形記憶装置であって、
回転円板形記録媒体と、該回転円板形記録媒体を収納し密閉空間を構成するケーシングとを備えるヘッド・ディスク・アセンブリと、
前記ヘッド・ディスク・アセンブリの制御回路を備え前記ケーシングに取り付けられるプリント回路基板と、
前記回転円板形記録媒体の記録面にほぼ垂直な方向からアクセス可能なように前記回転円板形記憶装置の正投影の内側に配置され、前記ホスト・システムのコネクタに接続可能なインターフェース・コネクタと、
を有する回転円板形記憶装置。
【請求項２】
前記ケーシングが前記ホスト・システムに装着するためのガイドを備える請求項１記載の回転円板形記憶装置。
【請求項３】
前記ガイドが、前記ホスト・システムに設けられたガイドと係合するスリット又は突出部である請求項２記載の回転円板形記憶装置。
【請求項４】
前記スリット又は突出部が前記回転円板形記録媒体の記録面にほぼ垂直な方向に形成されている請求項３記載の回転円板形記憶装置。
【請求項５】
前記インターフェース・コネクタが前記回転円板形記録媒体の記録面にほぼ垂直な方向からアクセス可能なように前記ケーシングに取り付けられる請求項１記載の回転円板形記憶装置。
【請求項６】
前記プリント回路基板が前記回転円板形記録媒体の記録面に対してほぼ平行に配置され、前記インターフェース・コネクタが前記プリント回路基板のパターンとして形成された接続パッドで構成される請求項１記載の回転円板形記憶装置。
【請求項７】
前記インターフェース・コネクタが前記プリント回路基板に取り付けられ、前記回転円板形記録媒体の記録面にほぼ垂直な方向からアクセス可能なように前記回転円板形記憶装置の正投影の内側に配置される請求項１記載の回転円板形記憶装置。
【請求項８】
前記ヘッド・ディスク・アセンブリと前記プリント回路基板とがフレキシブル・ケーブルで接続され、前記ヘッド・ディスク・アセンブリが衝撃吸収支持材を介在して前記プリント回路基板に取り付けられる請求項７記載の回転円板形記憶装置。
【請求項９】
前記ケーシング又は前記プリント回路基板が前記インターフェース・コネクタのアクセス方向に突き出た脚部を備える請求項７記載の回転円板形記憶装置。
【請求項１０】
ホスト・システムのコネクタに接続して使用する回転円板形記憶装置であって、
回転円板形記録媒体と、該回転円板形記録媒体を収納し密閉空間を構成するケーシングを備えるヘッド・ディスク・アセンブリと、
前記ヘッド・ディスク・アセンブリの制御回路を備え前記ケーシングに取り付けられるプリント回路基板と、
前記回転円板形記録媒体の記録面にほぼ垂直な方向からアクセス可能なように前記回転円板形記憶装置の正投影の内側に配置され、前記ホスト・システムのコネクタに接続可能なインターフェース・コネクタと、
前記ヘッド・ディスク・アセンブリ、前記プリント回路基板、及び前記インターフェース・コネクタを収納し、前記インターフェース・コネクタと整合する位置に開口部を備えるハウジングと
を有する回転円板形記憶装置。
【請求項１１】
前記ハウジングが前記ホスト・システムに装着するためのガイドを備える請求項１０記載の回転円板形記憶装置。
【請求項１２】
前記ガイドが、前記ホストシステムに設けられたガイドと係合するスリット又は突出部である請求項１１記載の回転円板形記憶装置。
【請求項１３】
前記ケーシングが前記ホスト・システムに装着するためのガイドを備え、前記ハウジングの前記ガイドに相当する位置に開口部を備える請求項１０記載の回転円板形記憶装置。
【請求項１４】
前記インターフェース・コネクタが前記回転円板形記録媒体の記録面にほぼ垂直な方向からアクセス可能なように前記ケーシングに取り付けられる請求項１０記載の回転円板形記憶装置。
【請求項１５】
前記プリント回路基板が前記回転円板形記録媒体の記録面に対してほぼ平行に配置され、前記インターフェース・コネクタが前記プリント回路基板のパターンとして形成された接続パッドで構成される請求項１０記載の回転円板形記憶装置。
【請求項１６】
前記インターフェース・コネクタが前記プリント回路基板に取り付けられ、前記回転円板形記録媒体の記録面にほぼ垂直な方向からアクセス可能なように前記回転円板形記憶装置の正投影の内側に配置される請求項１０記載の回転円板形記憶装置。
【請求項１７】
前記ヘッド・ディスク・アセンブリと前記プリント回路基板とがフレキシブル・ケーブルで接続され、前記ヘッド・ディスク・アセンブリが衝撃吸収支持材を介在して前記プリント回路基板に取り付けられる請求項１６記載の回転円板形記憶装置。
【請求項１８】
ホスト・システムのコネクタに接続して使用する回転円板形記憶装置であって、
回転円板形記録媒体と該回転円板形記録媒体を収納し密閉空間を構成するケーシングとを備えるヘッド・ディスク・アセンブリと、
前記回転円板形記録媒体の記録面にほぼ平行に配置され、前記ホスト・システムのコネクタに接続可能な接続パッドと前記ヘッド・ディスク・アセンブリの制御回路とを備え、前記ヘッド・ディスク・アセンブリに対してフレキシブル・ケーブルで接続され機械的に解放されているプリント回路基板と、
前記ヘッド・ディスク・アセンブリと前記プリント回路基板とを収納し前記接続パッドと整合する位置に開口部を備えるハウジングと
を有する回転円板形記憶装置。
【請求項１９】
さらに前記プリント回路基板と前記ハウジングとが取り付けられるフレームを含む請求項１８記載の回転円板形記憶装置。
【請求項２０】
前記フレームが前記ホスト・システムのガイドと係合するスリット又は突出部を備える請求項１９記載の回転円板形記憶装置。
【請求項２１】
さらに、前記ハウジングの開口部を覆うシャッターを備え、前記回転円板形記憶装置を前記ホスト・システムに収納したとき、前記シャッターがスライドして前記開口部を開放し前記接続パッドを露出させる請求項２０記載の回転円板形記憶装置。
【請求項２２】
前記フレームのスリット又は突出部の一部が前記回転円板形記録媒体の記録面にほぼ平行な方向にスリット開口を備え、前記シャッターが前記スリット開口に係合可能な係合部を備える請求項２１記載の回転円板形記憶装置。
【請求項２３】
さらに、前記ヘッド・ディスク・アセンブリと前記プリント回路基板との間に絶縁シートを設けた請求項１８記載の回転円板形記憶装置。
【請求項２４】
さらに、前記ヘッド・ディスク・アセンブリと前記ヘッド・ディスク・アセンブリに隣接するハウジングとの間に衝撃吸収材を設けた請求項１８記載の回転円板形記憶装置。
【発明の詳細な説明】
【技術分野】
【０００１】
本発明は、ホスト・システムのコネクタに接続されるインターフェース・コネクタを備える磁気ディスク装置、光磁気ディスク装置等の回転円板形記憶装置に関する。
【背景技術】
【０００２】
磁気ディスク装置は、多量のデジタル・データを記憶することができ、近年の大容量化、小型・軽量化の進展とともに、音声、映像等からなるデジタル・コンテンツの記録装置としての需要が一層高まっている。デジタル・コンテンツは記録媒体に記録されて様々な場所で利用されることが多く、磁気ディスク装置はパーソナル・コンピュータ等の所定のホスト・システムから取り外されて、他のホスト・システムで利用される機会が高まってきている。
【０００３】
磁気ディスク装置には一般に、ホスト・システムに接続するためのインターフェース・コネクタが設けられている。磁気ディスク装置は内部に円板形の磁気ディスクが回転できるように支持されており、磁気ディスク装置の外形寸法は磁気ディスクの直径にかなり支配され、磁気ディスクの記録面に平行な方向（以後、本明細書においては、磁気ディスク装置又はそれを収納するホスト・システムのスペースに関して縦・横方向という。）の寸法が、磁気ディスクの記録面に垂直な方向（以後、本明細書においては、磁気ディスク装置及びそれを収納するホスト・システムのスペースに関して高さ方向という。）の寸法に比べて大きくなる。
【０００４】
よって、磁気ディスク装置を収納するためにホスト・システムに設けられる収納スペースは、高さ方向に小さく、縦・横方向に大きい扁平な形状になる。さらに、磁気ディスク装置のインターフェース・コネクタの端子は従来から縦・横方向からアクセスするように設けられていた。
【０００５】
このような構成を示す磁気ディスク装置が、例えば特許文献１の図６に記載されている。
【特許文献１】特開平５−１０１６０７号公報
【０００６】
特許文献１に記載されている磁気ディスク装置は、磁気ディスクが複数枚積層されているものと思われ、高さがある程度高くなっているが、近年の磁気ディスク装置は１枚の磁気ディスクの記憶容量が増大していることもあって、ディスクが１枚だけ設けられていたり、積層される枚数が従来に比べて少なかったりして、図１に示すように外形が、相対的に高さ方向に比べて縦・横方向に一層拡大した形状になってきた。よって、これを収納するホスト・システムの収納スペースも一層高さ方向が小さくなり、縦・横方向が大きくなってきている。
【０００７】
図１（Ａ）において、磁気ディスク装置１０は、ケーシング１５の中に磁気ディスク１３が収納され、ハウジングの端部にインターフェース・コネクタ１７が設けられている。インターフェース・コネクタ１７の端子１９は、磁気ディスク１３の記録面に平行な縦方向からアクセスできるように配置されており、ホスト・システムの収納スペースにもインターフェース・コネクタ１９に接続するための他のインターフェース・コネクタ（以後、本明細書の全体を通じて、ホスト・システム側のインターフェース・コネクタを単にコネクタという。）が設けられ、収納スペースの縦方向の容積の一部を消費している。
【０００８】
図１（Ａ）の磁気ディスク装置では、縦方向から端子にアクセスできるようにインターフェース・コネクタが配置されているのに対して、図１（Ｂ）の磁気ディスク装置では、横方向から端子にアクセスできるようにインターフェース・コネクタ１７が配置されている。また、図には示していないが、磁気ディスク装置の制御回路を実相するプリント回路基板は、図１（Ａ）、図１（Ｂ）において、ケーシングの下面に固定されている。
【０００９】
磁気ディスク装置本体をプリント基板に実装し、磁気ディスク装置の隣に、磁気ディスク装置の高さ方向からアクセスできるように外部装置に接続するためのコネクタをプリント基板に設ける技術が、例えば特許文献２の図１１に記載されている。
【特許文献２】特開平８−６７２６号公報
【００１０】
また、磁気ディスク装置がホスト・システムから取り外されて自由に持ち運ばれることが前提にある可搬式磁気ディスク装置では、特に落下や物への接触による衝撃に晒される機会が増大する。しかし、磁気ディスク装置は、内部にヘッド・アクチュエータ機構を備え、回転する磁気ディスクの表面上をヘッドが極わずかの間隙を保って浮上しながらデータの読み書きができるようように制御される精密な機械であり、外部からの衝撃に対しては適切に保護されなければならない。
【００１１】
磁気ディスク装置は、非動作中のときに外部から衝撃が加わったとしても、アクチュエータ機構をロックしてヘッドと磁気ディスクとの接触等による損傷がないようにするための様々のアクチュエータ・ロック機構を採用しているが、これらの改良だけでは落下などの大きな衝撃に対して十分な衝撃対策ができないのが実情である。
【００１２】
可搬式磁気ディスク装置の耐衝撃性を向上させる一つのアプローチとして、汎用の磁気ディスク装置全体を衝撃防止用の緩衝材を施したハウジングで包み、ハウジングにホスト・システムと電気的に接続するためのインターフェース・コネクタを取り付ける方法がある（例えば、特許文献３参照）。
【特許文献３】特開平７−１９２４４９号公報
【００１３】
図２は、汎用の磁気ディスク装置２３を用いた可搬式磁気ディスク装置２０の外形を示す斜視図である。可搬式磁気ディスク装置２０は、汎用の磁気ディスク装置２３がハウジング２９に収納され、ハウジングの端部にインターフェース・コネクタ２７を設けて構成されている。汎用の磁気ディスク装置２３は、ヘッド・ディスク・アセンブリ（ＨＤＡ）と、ＨＤＡを制御するための電子回路が実装されたプリント回路基板と、インターフェース・コネクタとが物理的一体に結合された構成になっている。
【００１４】
フレキシブル・ケーブル（ＦＰＣ）２５の一端は、磁気ディスク装置２３のインターフェース・コネクタに接続され、他端は可搬式磁気ディスク装置２０のインターフェース・コネクタ２７に接続されている。インターフェース・コネクタ２７の端子は可搬式磁気ディスク装置２０の縦方向からアクセスできるように配置されており、可搬式磁気ディスク装置２０をホスト・システムのベイに挿入して矢印方向に押し込むことで、ホスト・システムのコネクタに直接接続させることができる。
【００１５】
ハウジング２９と磁気ディスク装置２３との間には、緩衝用の衝撃吸収材が設けられる。このような用途に衝撃吸収材を適用する技術については、例えば特許文献４に記載されている。
【特許文献４】特開平１１−３７１９８号公報
【００１６】
よって、ホスト・システムから取り外した可搬式磁気ディスク装置２０を搬送中に落下させたり、物にぶつけたりしてハウジング２９又はインターフェース・コネクタ２７から衝撃が加えられても汎用磁気ディスク装置２３への衝撃力は和らぎ、磁気ディスク装置２３の損傷を防止することができる。
【発明の開示】
【発明が解決しようとする課題】
【００１７】
しかし、図１及び図２に示した従来の磁気ディスク装置１０及び可搬式磁気ディスク装置２０では、インターフェース・コネクタの端子へのアクセスが磁気ディスクの縦・横方向に設定されている。従って、ホスト・システム側に用意する磁気ディスク装置の収納スペース内にインターフェース・コネクタに接続するコネクタを設けるために、収納スペースの縦・横方向のスペースをその分だけ消費していた。
【００１８】
磁気ディスク装置の外形寸法は、磁気ディスクの半径に相当支配されるため、高さ方向の寸法に比べて縦・横方向の寸法は大きい。ホスト・システム全体の寸法や外形を適切に決定する上で、磁気ディスクの収納スペースの高さ方向の寸法は拡大したとしても、縦・横方向の寸法を縮小したいという要望があったが、従来の磁気ディスク装置を収納するための収納スペースにおいて、磁気ディスク装置又は可搬式磁気ディスク装置の外形寸法に加えて、縦・横方向にコネクタ分のスペースも用意する必要があった。
【００１９】
また、図２に示した従来の可搬式磁気ディスク装置２０では、汎用の磁気ディスク２３を利用しているため、磁気ディスク装置２３に加えて、インターフェース・コネクタ２７及びフレキシブル・ケーブル２５を設ける必要があり、コスト増大の一因になっていた。
【００２０】
したがって、本発明の目的は、ホスト・システムの収納スペースの縦・横方向の寸法を縮小することができるフォーム・ファクタを備える回転円板形記憶装置を提供することにある。さらに、本発明の目的は、部品点数を減らした簡素な構造で耐衝撃性を実現し、ホスト・システムの縦・横方向の寸法を縮小することができるフォーム・ファクタを備えた回転円板形記憶装置を提供することにある。さらに本発明の目的は、ホスト・システムに装着し易い回転円板形記憶装置を提供することにある。さらに本発明の目的は、ＲＡＩＤやブレード・サーバへの装着がし易い回転円板形記憶装置を提供することにある。
【課題を解決するための手段】
【００２１】
本発明の原理は、ホスト・システムのコネクタに接続するインターフェース・コネクタを備えた回転円板形記憶装置において、インターフェース・コネクタを回転円板形記録媒体の記録面に対して垂直な方向からアクセスできるように設けることにより、ホスト・システムの収納スペースの縦・横方向の寸法を縮小する点にある。さらに、ＲＡＩＤに収納される複数の回転円板形記憶装置をデイジーチェーン接続やループ接続する際の新たな接続形態や、ブレード・サーバを実現するために基板に接続し易い接続方式を実現可能にする回転円板形記憶装置を提供することにある。さらに、前記、回転円板形記憶装置の外側をハウジングで覆い耐衝撃性を備える構成にした点にある。さらにまた、ＨＤＡとプリント回路基板とが固定された汎用磁気ディスク装置ではなく、両者を機械的に解放した状態でハウジングに納め、部品点数を減らす構成にした点にある。
【００２２】
本発明の第１の態様においては、ホスト・システムのコネクタに接続して使用する回転円板形記憶装置であって、回転円板形記録媒体と、該回転円板形記録媒体を収納し密閉空間を構成するケーシングとを備えるヘッド・ディスク・アセンブリと、前記ヘッド・ディスク・アセンブリの制御回路を備え前記ケーシングに取り付けられるプリント回路基板と、前記回転円板形記録媒体の記録面にほぼ垂直な方向からアクセス可能なように前記回転円板形記憶装置の正投影の内側に配置され、前記ホスト・システムのコネクタに接続可能なインターフェース・コネクタとを有する回転円板形記憶装置を提供する。
【００２３】
本発明において、ホスト・システムとは、磁気ディスク装置、光磁気ディスク装置等の回転円板形記憶装置が装着されるコンピュータ、サーバ、ＲＡＩＤ，ＰＤＡ、ＡＶ機器、ブレード・サーバなどのすべての装置をいう。インターフェース・コネクタは記録媒体の記録面にほぼ垂直な方向からアクセス可能なように記憶装置の正投影の内側に配置されるため、ホスト・システムのコネクタも記憶装置の正投影の内側に設けることができ、ホスト・システムの収納スペースはコネクタを配置するために縦・横方向に拡大することはない。また、ＲＡＩＤにおいて、各記憶装置のインターフェース・コネクタに対してデージーチェーン接続や、ループ接続をする際の新たな配線構成を実現することができる。さらに、ブレードサーバのように、他のモジュールと共に記憶装置をインターフェース・コネクタで基板に取り付けて全体として薄型の基板構造を実現することができる。
【００２４】
また、ＨＤＡのケーシングがホスト・システムに設けられたガイドに係合するスリット又は突出部からなるガイドを備えているため、収納スペースに装着するときのインターフェース・コネクタの位置決めを正確に行うことができ、記憶装置の装着も容易に行うことができる。スリット又は突出部を記録媒体の記録面にほぼ垂直な方向に形成することにより、記憶装置を記録面に垂直な方向に移動させて収納スペースに装着する場合において、ホスト・システムのコネクタが見えにくい場合でも位置合わせを失敗してインターフェース・コネクタや収納スペースのコネクタのピンを損傷したりすることもなく、インターフェース・コネクタとホスト・システムのコネクタを直接接続することができる。
【００２５】
インターフェース・コネクタは、ケーシングに一体として形成することにより、製造工程の簡素化を図ることができる。インターフェース・コネクタは、端子と、端子を支持する構造部とで構成されるが、ケーシングに一体として形成するとは、構造部がケーシングと同じ材料で一体成形されることを意味する。インターフェース・コネクタはケーシングとは別材料で製作しておき、ケーシングに取り付けることもできる。この場合ケーシングにインターフェース・コネクタを配置する場所を選定するための設計上の自由度が向上する。
【００２６】
また、プリント回路基板を記録媒体の記録面に対してほぼ平行に配置し、インターフェース・コネクタをプリント回路基板のパターンとして形成された接続パッドとして構成することで別に用意する必要がなくなり、かつ、ホスト・システムのコネクタを、記憶装置の正投影の内側に設けることができる。
【００２７】
インターフェース・コネクタを、プリント回路基板に取り付けることにより、インターフェース・コネクタとプリント回路基板との電気的接続及び取付作業が容易になり、インターフェース・コネクタの位置選定に対する自由度も向上する。
【００２８】
ヘッド・ディスク・アセンブリを、電気的にはフレキシブル・ケーブルを用い、機械的には衝撃吸収支持材を介在してプリント回路基板に取り付けることで、ホスト・システムに装着されたときプリント回路基板を経由してホスト・システムから伝わる衝撃や振動を緩和することができる。ケーシング又はプリント回路基板がインターフェース・コネクタのアクセス方向に突き出た脚部を備えることにより、収納スペースの中での位置決め精度の向上と、記憶装置を単体で取り扱うときのコネクタの保護を図ることができる。
【００２９】
本発明の第２の態様は、ホスト・システムのコネクタに接続して使用する回転円板形記憶装置であって、回転円板形記録媒体と、該回転円板形記録媒体を収納し密閉空間を構成するケーシングを備えるヘッド・ディスク・アセンブリと、前記ヘッド・ディスク・アセンブリの制御回路を備え前記ケーシングに取り付けられるプリント回路基板と、前記回転円板形記録媒体の記録面にほぼ垂直な方向からアクセス可能なように前記回転円板形記憶装置の正投影の内側に配置され、前記ホスト・システムのコネクタに接続可能なインターフェース・コネクタと、前記ヘッド・ディスク・アセンブリ、前記プリント回路基板、及び前記インターフェース・コネクタを収納し、前記インターフェース・コネクタと整合する位置に開口部を備えるハウジングとを有する回転円板形記憶装置を提供する。
【００３０】
上記構成を備えることにより、耐衝撃性を備えるとともに、ホスト・システムの縦・横スペースを縮小することができる回転円板形記憶装置を提供できる。ハウジングはインターフェース・コネクタと整合する位置に開口部を備えるので、ハウジング自体を収納スペースに納めてインターフェース・コネクタとホスト・システムのコネクタとを接続することができる。
【００３１】
ハウジングは熱可塑性エラストマとＡＢＳ樹脂とが一体成形された積層構造を備えることで、芯は構造的な強度を確保し、かつ表面は柔軟性を保有して、耐衝撃性のあるハウジング構造を提供する。ハウジングの表面には、ガイドを設けてホスト・システムへの装着を容易にする。また、ハウジングを部分的な開口部を設け、開口部に位置が整合するガイドをケーシングに設けることもできる。
【００３２】
本発明の第３の態様は、ホスト・システムのコネクタに接続して使用する回転円板形記憶装置であって、回転円板形記録媒体と該回転円板形記録媒体を収納し密閉空間を構成するケーシングとを備えるヘッド・ディスク・アセンブリと、前記回転円板形記録媒体の記録面にほぼ平行に配置され、前記ホスト・システムのコネクタに接続可能な接続パッドと前記ヘッド・ディスク・アセンブリの制御回路とを備え、前記ヘッド・ディスク・アセンブリに対してフレキシブル・ケーブルで接続され機械的に解放されているプリント回路基板と、前記ヘッド・ディスク・アセンブリと前記プリント回路基板とを収納し前記接続パッドと整合する位置に開口部を備えるハウジングとを有する回転円板形記憶装置を提供する。
【００３３】
上記構成を備えることにより、従来に比べてインターフェース・コネクタ、及びプリント回路基板とインターフェース・コネクタとを接続するフレキシブル・ケーブルを削減して耐衝撃性のある回転円板形記憶装置を提供することができる。さらに、記録媒体の記録面に平行に配置されたプリント回路基板に設けられた接続パッドをインターフェース・コネクタとして利用することにより、ホスト・システムの縦・横方向のスペースを縮小することができる。
【００３４】
さらに、プリント回路基板とヘッド・ディスク・アセンブリとは機械的に解放されているので、ハウジングや接続パッドを経由して外部から衝撃や振動がプリント回路基板に伝わったとしても、ヘッド・ディスク・アセンブリへの伝達が緩和される。ここにプリント回路基板が機械的に解放されているとは、プリント回路基板とヘッド・ディスク・アセンブリとがネジ、接着剤、又は嵌め込み構造等で結合されておらず、両者が相対的に自由に移動できることを意味する。
【００３５】
プリント回路基板とハウジングが取り付けられるフレームを含むことで、プリント回路基板に設けられた接続パッドのフレームに対する位置を画定することができ、さらに記憶装置の強度を増すことができる。フレームがホスト・システムのガイドと係合するスリット又は突出部を備えることで、収納スペースの中において接続パッドのより正確な位置を画定でき、記憶装置の装着作業も容易にできる。
【００３６】
ハウジングの開口部を覆うシャッターを備えることで、搬送時の接続パッドの保護を行うとともに、ハウジングの中に粉塵が進入することを防止できる。フレームのスリット又は突出部の一部が記録媒体の記録面にほぼ平行な方向にスリット開口を備え、前記シャッターが前記スリット開口に係合可能な係合部を備える。この構成によりホスト・システムにスリット又は突出部に係合するガイドを設けることで、ガイドを使って記憶装置をホスト・システムに装着してシャッターを開放させ、接続パッドを露出してホスト・システムのコネクタに接続させることができる。
【００３７】
ヘッド・ディスク・アセンブリとプリント回路基板との間に絶縁シートを設けることにより、プリント回路基板に実装されている半導体素子や印刷パターンが短絡したり損傷したりすることを防止することができる。また、絶縁シートを緩衝材の機能も同時に備える材料で形成することもできる。ヘッド・ディスク・アセンブリと、ヘッド・ディスク・アセンブリに隣接するハウジングとの間に衝撃吸収材を設けることで、より一層耐衝撃性を向上させることができる。
【発明の効果】
【００３８】
本発明により、ホスト・システムの収納スペースの縦・横方向の寸法を縮小することができるフォーム・ファクタを備えた回転円板形記憶装置を提供することができた。さらに、本発明により、部品点数を減らした簡素な構造で耐衝撃性を実現し、ホスト・システムの縦・横方向の寸法を縮小することができるフォーム・ファクタを備えた回転円板形記憶装置を提供することができた。さらに本発明により、ホスト・システムに装着し易い回転円板形記憶装置を提供することができた。
【発明を実施するための最良の形態】
【００３９】
つぎに、本発明を実施するための最良の形態について説明する。図３は、汎用の磁気ディスク装置４０の斜視図であり、ヘッド・ディスク・アセンブリ（ＨＤＡ）４３と、ＨＤＡ４３の動作及び通信を制御する電子回路を実装したプリント回路基板４５と、ホスト・システムのコネクタに接続するインターフェース・コネクタ４７とで構成されている。
【００４０】
ＨＤＡ４３は、１枚又は複数積層された磁気ディスク４１の他に、図示しない、データの読み書き又はそのいずれか一方を行うヘッド、ヘッドを搭載し磁気ディスク表面の所定の位置に位置付けるアクチュエータ機構、及び磁気ディスクを回転させるスピンドル機構等の周知の要素が、ケーシングで形成された密閉空間の中に収納されている。ＨＤＡ４３とプリント回路基板４５とは、フレキシブル・ケーブルで接続され、フレキシブル・ケーブルがケーシングを貫通する部分は、密閉空間を確保するためにシールされている。
【００４１】
プリント回路基板４５は、ＨＤＡ４３内の清浄度を保ったり、設計変更、製造試験に基づく補修への対応等の製造上の理由等で、通常ＨＤＡの外側に固定されるが、その機能の一部をＨＤＡに設けるために、ＨＤＡの中に電子回路を設けてもよい。本明細書の全体を通じて、ＨＤＡ及びプリント回路基板という用語は、特に言及しない限り上述した意味で使用する。
【００４２】
図３においてインターフェース・コネクタ４７は、ケーシングと一体に形成されているが、ケーシングと別に製作してネジや接着剤でケーシングに結合してもよい。一体に形成する場合は、インターフェース・コネクタの構造部をケーシングと同一材料で一体成形し、後から端子だけを取り付けるので、インターフェース・コネクタの製造工程を省くことができる。インターフェース・コネクタをケーシングと別に製作する場合は、その取付場所の自由度が向上する。
【００４３】
しかし、本発明において重要な点は、インターフェース・コネクタ４７の端子４９が、ディスク４１の記録面に対してほぼ垂直な方向からアクセスできるように配置されている点である。図３の磁気ディスク装置は、磁気ディスク４１の直径で外形寸法がほぼ決まるので、縦・横方向に大きく、高さ方向に小さくなっている。
【００４４】
図３には、ホスト・システムに設けられた磁気ディスク装置４０を収納する収納スペース６０が二点鎖線で記載され、内部にインターフェース・コネクタ４７に接続されるホスト・システムのコネクタ６１が設けられている。収納スペース６０は、ユーザが容易にアクセスできるような小部屋として構成されたベイであってもよい。
【００４５】
インターフェース・コネクタ４７の端子４９は、図１に示した従来のものとは異なって磁気ディスク４１の記録面にほぼ垂直な方向を向いているため、収納スペース６０において、Ｘとして示す縦寸法は、磁気ディスク装置４０に対する、磁気ディスク４１の記録面に垂直な方向の正投影を基準にして決定することができる。結果的に、縦方向の寸法Ｘにコネクタ６１の寸法を加える必要がなくなる。本明細書において、正投影とは磁気ディスク装置の外形に対して、磁気ディスクの記録面に垂直な方向から平行光線を投射したときの投影面を意味するものとする。
【００４６】
従って、収納スペース６０のＺで示す高さ方向の寸法は大きくなるが、縦方向の寸法は、縦方向（Ｘ）又は横方向（Ｙ）の寸法に比べて相当小さいため、図３の例では縦方向の寸法Ｘが縮小することで、ホスト・システムの外形寸法を決定する上での自由度が向上し、ホスト・システムの小型化、又は外形の最適化を図ることができるようになる。
【００４７】
同様に、インターフェース・コネクタの位置を磁気ディスク装置のケーシングの長い方の辺の位置に変えることにより、収納スペースの横方向（Ｙ）の寸法を小さくすることができることも明らかであろう。
【００４８】
インターフェース・コネクタ４７とコネクタ６１とは、直接接続できるように構成されている場合であっても、両方のコネクタの間にフレキシブル・ケーブルなどの介在物を含んで接続される場合であってもよいが、インターフェース・コネクタ４７の端子へのアクセス方向が磁気ディスクの記録面に垂直な方向に設定されていることにより、収納スペースの縦・横方向の寸法を縮小できる場合であれば本発明の効果を奏することができる。
【００４９】
スリット５１ａ〜５１ｄは、ＨＤＡ４３のケーシングの外側に磁気ディスクの記録面に対して垂直な方向に直線状に形成されたガイドである。ホスト・システムの収納スペース６０にはスリット５１ａ〜５１ｄに嵌合する直線上の突出部６３ａ〜６３ｄが設けられており、磁気ディスク装置４０を磁気ディスク４１の記録面に垂直な方向に押し込んだときスリット５１ａ〜５１ｄと突出部６３ａ〜６３ｄとがそれぞれ摺動し、両者はインターフェース・コネクタ４７とコネクタ６１とを結合させる際の位置決め用ガイドとして機能する。当業者にとって明らかなように、磁気ディスク装置４０側に突出部を設け、収納スペース６０側にそれと嵌合するスリットを設けてもよい。
【００５０】
他の実施形態として磁気ディスク装置７０について図４を参照しながら説明する。図４は、磁気ディスク装置７０の斜視図である。磁気ディスク装置７０は、ＨＤＡ７１と、プリント回路基板７３で構成されている。プリント回路基板７３はＨＤＡ７１に収納されている磁気ディスク（図示せず。）の記録面に平行に配置されＨＤＡに固定されている。プリント回路基板とＨＤＡとはコネクタで電気的に接続されている。プリント回路基板７３には、導電回路のパターンとして形成された接続パッド７５が形成されており、インターフェース・コネクタとして使用することができるようになっている。
【００５１】
接続パッド７５に接続するためのコネクタとして、たとえば、特開２００１−０５１７４９号公報に記載されている周知のスプリング・コネクタを用いることができる。スプリング・コネクタは、端子が接続パッドの表面に対して垂直方向から接触し、スプリング力で電気的な接触を保持する。プリント回路基板は磁気ディスクの記録面に対して平行に配置されているため、インターフェース・コネクタに相当する接続パッド７５は、常に磁気ディスク装置７０の正投影の内側に設けられることになり、ホスト・システムの収納スペースを縦・横方向で縮小することができる。
【００５２】
他の実施形態として磁気ディスク装置８０について図５を参照しながら説明する。図５は、磁気ディスク装置８０の斜視図である。磁気ディスク装置８０は、ＨＤＡ８１とプリント回路基板８３とインターフェース・コネクタ８５とで構成されている。インターフェース・コネクタ８５は、端子８７に対して、ＨＤＡに収納される磁気ディスクの記録面に垂直な方向からアクセスできるように配置されている。端子８７は、プリント回路基板８３の回路パターンにハンダで接続されている。
【００５３】
ＨＤＡのケーシングには、脚部８７ａ〜８７ｄが形成されている。脚部は、ＨＤＡ８１が単体で取り扱われるときにインターフェース・コネクタ８５を保護するとともに、その長さを調整しておくことでホスト・システムの収納スペースに装着するときに、磁気ディスク装置８０の高さ方向の位置を画定することができる。脚部は、プリント回路基板８３から突き出るようにボルトやその他の部材を設けて構成してもよい。
【００５４】
脚部又はケーシングに図３で説明したようなスリット又は突出部からなるガイドを設けることで、収納スペースにおける縦・横方向の位置を正確に画定することができる。図５のインターフェース・コネクタ８５は、磁気ディスク装置８０の正投影の内側に設けられており、ホスト・システムの収納スペースの縦・横方向をコネクタ寸法に相当する分だけ縮小できる。
【００５５】
他の実施形態として磁気ディスク装置９０について、図６を参照しながら説明する。図６は、磁気ディスク装置９０の側面図である。磁気ディスク装置９０は、ＨＤＡ９１、プリント回路基板９３、インターフェース・コネクタ９５で構成されている。プリント回路基板９３は、ＨＤＡに収納される磁気ディスクの記録面にほぼ平行に配置され、インターフェース・コネクタ９５が取り付けられている。さらに同一方向に向かって延びる脚部９７ａ、９７ｂ設けられている。図では２つの脚部が示されているが、３つ以上設けてもよい。
【００５６】
インターフェース・コネクタ９５は、ＨＤＡ９１に収納される磁気ディスクの記録面に垂直な方向（図では上部）から端子にアクセスできるように、磁気ディスク装置９０の正投影の内側に配置される。
【００５７】
脚部９７ａ、９７ｂの機能は、図５で説明した脚部８７の機能と同じである。プリント回路基板９３は、ゴム等の弾性材料でロッド状に形成された衝撃吸収支持材９９ａ、９９ｂを介在してＨＤＡ９１に結合されている。衝撃吸収支持材９９は、ＨＤＡ９１を支持できるだけの強度を有し、かつ、衝撃を吸収する弾力を備えている必要があり、図では２つ示されているが、３つ以上設けてもよい。また、ロッド状の衝撃吸収支持材９９ａ、９９ｂに代えて、シート状の材料をプリント回路基板９３とＨＤＡ９１との間に挟んでＨＤＡを固定してもよい。
【００５８】
磁気ディスク装置９０では、ＨＤＡ９１とプリント回路基板９３とは、フレキシブル・ケーブル１０１及び衝撃吸収支持材９９で結合されるため、脚部９７又はプリント回路基板がホスト・システムの収納スペースに取り付けられて衝撃や振動が加えられても、衝撃吸収支持材９９がホスト・システムから伝わる衝撃を緩和してＨＤＡ９１を保護する。
【００５９】
図３〜図６を参照しながら説明した磁気ディスク装置は、その外側を弾力性のある材料で形成したハウジングで包むことで可搬式磁気ディスク装置として構成することができる。本発明において、可搬式磁気ディスク装置とは、ホスト・システムに着脱自在に取り付けることができ、搬送中に落下したり物に当たったりした場合の衝撃からＨＤＡを保護するハウジングで外部が保護されているものをいう。従って、ＨＤＡのケーシングが外部から直接衝撃を受ける構造のものは含まないが、必ずしもＨＤＡ全体がハウジングで覆われている必要はない。
【００６０】
着脱自在とは、ユーザが通常の使用状態で着脱させることが予定されている構造をいい、装置の着脱に際して特別な工具を使用したり、通常の使用状態では開放することが予定されていない部分を開放して取り付け又は取り外しを行う構造は含まない。
【００６１】
可搬式磁気ディスク装置では、少なくともインターフェース・コネクタのアクセス面が、ホスト・システムの収納スペースの中でハウジングから露出してホスト・システムのコネクタと結合できる構造になっている必要がある。また、図３や図５を参照して説明したＨＤＡのケーシングに設けられたガイドは、ハウジングから露出してホスト・システムのガイドと係合する必要があることは明らかであろう。
【００６２】
図７は、図５に示した磁気ディスク装置を衝撃吸収材で形成したハウジングで包んで保護した、可搬式磁気ディスク装置１１０の側部断面図である。図５と同一構成要素には同一の参照番号を付している。図５の磁気ディスク装置８０は、全体がハウジング本体１１３に収納され、さらに、ハウジング蓋１１５で閉じられている。図７は、ハウジング１１３の手前にある壁とＨＤＡ８１との境界で切断した断面を示す。
【００６３】
ハウジング蓋１１５は、ＨＤＡ８１のケーシング又は脚部８７にネジ又は接着剤で固定されている。ハウジング蓋１１５は、インターフェース・コネクタ８５の端子にアクセスする部分（図では上部）が開放されており、ホスト・システムのコネクタに接続できるようになっている。脚部又はケーシングにホスト・システムの収納スペースに装着するためのガイドを設ける場合は、ハウジングの対応する部分を切除して開放部を設けておく。ガイドは、ハウジング本体１１３及びハウジング蓋１１５又はそのいずれか一方に設けることもできる。
【００６４】
ハウジング本体１１３とハウジング蓋１１５は、ＡＢＳ樹脂を中に挟んで両外側に熱可塑性エラストマを積層して一体成形された三層構造で形成されている。ＡＢＳ樹脂は所定の剛性を備えてハウジング自体に構造体としての強度を与え、熱可塑性エラストマはハウジングの表面に柔軟性を備えて収納する構成要素への衝撃を吸収する。
【００６５】
図８に本発明を実施するための最良の形態に係る他の可搬式磁気ディスク装置１２０の外形を示す。図９は、図８に示した可搬式磁気ディスク装置１２０の組立図である。
【００６６】
図９において、可搬式磁気ディスク装置１２０は、上部ハウジング１２１、ＨＤＡ１２３、プリント回路基板１２５、フレーム１５０、シャッター１７０、及び下部ハウジング１３０で構成されている。上部ハウジング１２１、プリント回路基板１２５、フレーム１５０、及び下部ハウジング１３０は、４本のネジ１２７ａ〜１２７ｄで結合されている。
【００６７】
上部ハウジング１２１及び下部ハウジング１３０は、図７を参照して説明した可搬式磁気ディスク装置１１０と同様に、ＡＢＳ樹脂と熱可塑性エラストマからなる三層積層構造として形成されている。上部ハウジング１２１の内側には、ＨＤＡ１２３が隣接して配置される。ＨＤＡ１２３は上部ハウジング１２１と接触はしているが、ネジや接着材などで機械的に結合されておらず解放されている。上部ハウジング１２１とＨＤＡ１２３との間には、周知の材料で形成された衝撃吸収材を設けて衝撃吸収効果を高めてもよい。
【００６８】
ＨＤＡ１２３の密閉空間を形成するケーシングからは、ヘッド、アクチュエータ機構、スピンドル駆動機構に接続されているフレキシブル・ケーブル（図示せず。）が引き出され、プリント回路基板１５０に電気的に接続される。磁気ディスクは、図において水平方向に記録面が位置するようにＨＤＡ１２３内に設けられ、その直径がＨＤＡ１２３の縦・横方向の寸法をほぼ支配している。
【００６９】
ＨＤＡ１２３に隣接してプリント回路基板１２５が配置される。プリント回路基板１２５の表面は、ＨＤＡ１２３に収納される磁気ディスクの記録面にほぼ平行に配置されている。ＨＤＡ１２３とプリント回路基板１２５との間には、周知の材料で形成された絶縁シート（図示せず。）を設けてもよい。さらに、絶縁シートは、衝撃吸収機能を兼ね備えた周知のシートであってもよい。
【００７０】
さらに、プリント回路基板に隣接してフレーム１５０が設けられている。フレーム１５０は、内側にプリント回路基板１２５を配置できるように矩形の開放部を備えた枠状に金属で形成され、可搬式磁気ディスク装置１２０に構造上の骨格となる強度を提供する。フレーム１５０に隣接してシャッター１７０が設けられ、最後に下部ハウジング１３０が設けられる。下部ハウジング１３０には、開口部１３１が設けられている。フレーム１５０、シャッター１７０及び下部ハウジング１３０については図１０及び図１１を参照して詳細に説明する。
【００７１】
図１０は、フレーム１５０の平面及び側面、並びにこれに位置が整合するように記載したシャッター１７０の側面を示す図である。フレーム１５０は、内部に矩形状の開放部を備え、４つのフレーム脚１５１ａ〜１５１ｄで構成されている。フレーム脚１５１ｂ及び１５１ｄには、それぞれの側面方向に開放しているスリット１５３ａ及び１５３ｂが形成されている。スリット１５３ａ、１５３ｂはフレーム脚１５１ｂ、１５１ｄの長さ方向に沿って、一方がフレーム脚１５１ａの外側側面まで達しており、他方がスリット脚１５１ｃとの境界で終了している。
【００７２】
フレーム脚１５１ｂ、１５１ｄの一部には、フレーム脚１５１ｃに近接する位置にスリット開口１５５ａ、１５５ｂが形成されている。スリット開口１５５ａ、１５５ｂは、スリット１５３ａ、１５３ｂと同一の高さ（スリット幅）で、スリットの底部を貫通してフレーム脚１５１ｂ、１５１ｄの内側の開放部まで達している。
【００７３】
図１０にはさらにシャッター１７０の側面が示されている。シャッター１７０には、本体１７１、遮蔽部１７５、係合部１７３が設けられている。シャッター１７０は、フレーム１５０、プリント回路基板１２５、及び下部ケース１３０から独立しており、本体１７１がプリント回路基板１２５に接触しながら矢印方向にスライドできるように構成されている。係合部１７３は対称的に二つ設けられ、シャッターが磁気ディスク装置１２０に組み込まれるとき、それぞれフレーム脚１５１ｂ、１５１ｄのスリット開口１５５ａ、１５５ｂに嵌め込まれる。
【００７４】
シャッター１７０の一端は、一方がフレームに結合されたスプリング１７７に結合され、磁気ディスク装置１２０が、ホスト・システムに装着されていないとき、シャッターはフレーム脚１５１ａの方向に押し付けられている。シャッターの係合部１７３は、スプリングの弾力でフレーム脚１５１ａの方向に押しつけられ、スリット開口１５５ａ、１５５ｂの壁に当たって、シャッター１７０の矢印方向（図では水平方向）の位置が画定している。
【００７５】
遮蔽部１７５は、シャッターが磁気ディスク装置１２０に装着される前は、下部ハウジングの開口部１３１（図９参照）に位置が整合しており、プリント回路基板を外部に対して遮蔽し、ハウジングの内部を保護したり、塵埃の侵入を防止する。
【００７６】
この様子を図１１を参照しながら説明する。図１１は、磁気ディスク装置１２０の下部ハウジング１３０を外側からみた図である。図１１（Ａ）は、磁気ディスク装置１２０がホスト・システムに装着されていない状態を示しており、スプリング１７７の付勢により、開口部１３１にシャッターの遮蔽部１７５が位置整合しており、プリント回路基板の表面は外からみえない。図１１（Ｂ）は磁気ディスク装置がホスト・システムに装着された状態を示しており、シャッターの遮蔽部１７５は水平方向にスライドして、プリント回路基板の表面に周知の回路パターン技術で形成された接続パッド１２９が露出しているのがみえる。
【００７７】
磁気ディスク装置１２０をホスト・システムのベイに装着するときのシャッターの動作について図１０を参照して説明する。ホスト・システムの収納スペースには、図３を参照して説明したような、磁気ディスク装置を収納する際の位置を制御するためにガイドとして機能する突出部が設けられている。突出部はスリット１５３ａ、１５３ｂと嵌合し、磁気ディスク装置２０をホスト・システムのベイに挿入するときにスリット内を摺動して、磁気ディスク装置２０をベイの所定の位置に位置付けるとともに、装着作業を容易にする。
【００７８】
スリット１５３ａ、１５３ｂをホスト・システムのベイの突出部に嵌め込み、スリット脚１５１ａを先頭にしてベイの内に押し込んでいくと、突出部はスリット１５３ａ、１５３ｂを摺動してシャッターの係合部１７３に当たり、スプリング１７７の付勢力にうち勝ってシャッター１７０をスリット脚１５１ｃの方向にスライドさせる。
【００７９】
係合部１７３は、ベイの突出部ではなく、ベイに設けられた他の部分に当たるように構成してもよい。また、フレームにスリットではなく突出部を設けてガイドにしてもよい。これらの結果、下部ハウジングの開口部１３１に位置が整合していた遮蔽部１７５は、フレーム脚１５１ｃの方向にスライドして、接続パッド１２９が露出し、ホスト・システムのコネクタと接続できるようになる。
【００８０】
磁気ディスク装置がベイの中に収まると、ベイに設けられた周知のスプリング式のコネクタが垂直方向からスプリングで付勢されて、接続パッド１２９に電気的に接触する。従って、コネクタはベイの中で磁気ディスクの表面に垂直な方向に設けることができ、ベイの縦・横方向の寸法を縮小することができる。
【００８１】
以上のとおり構成された可搬式磁気ディスク装置１２０は、ＨＤＡ１２３が、フレーム１５０に固定された上部ハウジング１２１、プリント回路基板１２５、及び下部ハウジング１３０に対して固定されておらず機械的に解放されており、落下などによる衝撃が外部ケースに加えられたとしても、それが直接伝わることはなく、耐衝撃性が確保されている。さらに、プリント回路基板とＨＤＡが機械的に解放されているので、ホスト・システムのコネクタから接続パッドを経由して伝わる衝撃は緩和される。
【００８２】
ＨＤＡ１２３は、上部ハウジング１２１に隣接する衝撃吸収シート及びプリント回路基板１２５に隣接する衝撃吸収シートに接触しているが、フレキシブル・ケーブルでプリント回路基板に接続されているだけでいずれにも固定されておらず、上部ハウジング及び下部ハウジングの中に浮かんでいる状態で配置されている。接続パッドを備えるプリント回路基板は、フレーム１５０に固定されており、フレームにはスリットで構成されたガイドが設けられこれがベイのガイドと係合するので、可搬式磁気ディスク装置１２０がホスト・システムのベイに装着されるときに、接続パッド１２９とコネクタとの位置が正確に整合する。
【００８３】
さらに、図２に示した従来の可搬式磁気ディスク装置に比べて、インターフェース・コネクタ２７及びフレキシブル・ケーブル２５を省略することができ、部品点数を減らした簡素な構造にすることができる。これは、従来の可搬式磁気ディスク装置は、ＨＤＡとプリント回路基板が一体となった汎用の磁気ディスク装置を使用していたが、本発明では、ＨＤＡとプリント回路基板とをハウジングの中で、独立の構成要素として扱うことによって実現できたのである。
【００８４】
さらにまた、ホスト・システムのコネクタに接続される端子が、プリント回路基板に形成された接続パッドで形成されており、磁気ディスクの記録面に垂直な方向（高さ方向）からアクセスできるように構成されている。よって、可搬式磁気ディスク装置１２０が取り付けられるホスト・システムでは、コネクタのために磁気ディスクの記録面に垂直な方向（高さ方向）のスペースを利用し、記録面に平行な方向（縦・横方向）の寸法を小さくすることができる。
【００８５】
なお、本実施の形態ではフレームをハウジングとは別の材料で製作して組み立てたが、フレームをハウジングと一体に成形してもよく、また、ハウジング自体に部分的に強度を持たせることでフレームを用いないで実現することもできる。
【００８６】
以上、本発明の最良の実施の形態について図面に示した特定の形態に基づいて説明してきたが、材料や形状を含めて、本発明は明細書及び図面に示した実施の形態に限定されるものではなく、本発明の効果を奏する限り、これまで知られたいかなる構成であっても採用することができることはいうまでもないことである。
【産業上の利用可能性】
【００８７】
本発明に係る回転円板形記憶装置及び可搬式回転円板形記憶装置は、コンピュータ、サーバ、家電機器などデジタル情報を扱うあらゆるホスト・システムに適用することができる。特に、パーソナル・コンピュータ、デジタル・カメラ、ＡＶ機器、テレビなどデジタル・コンテンツを扱いコンテンツを物理的に移動させる記憶装置としての利用可能性が高い。
【図面の簡単な説明】
【００８８】
【図１】従来の磁気ディスク装置の外形を示す平面図である。
【図２】従来の可搬式磁気ディスク装置の外形を示す図である。
【図３】本発明の最良の実施形態に係る磁気ディスク装置を示す図である。
【図４】本発明の最良の実施形態に係る磁気ディスク装置を示す斜視図である。
【図５】本発明の最良の実施形態に係る磁気ディスク装置を示す斜視図である。
【図６】本発明の最良の実施形態に係る磁気ディスク装置を示す側面図である。
【図７】本発明の最良の実施形態に係る可搬式磁気ディスク装置を示す側面図である。
【図８】本件発明の最良の実施形態に係る可搬式磁気ディスク装置の外形を示す斜視図である。
【図９】図８に示す可搬式磁気ディスク装置の組立図である。
【図１０】図８に示す可搬式磁気ディスク装置のフレーム及びシャッターを示す図である。
【図１１】図８に示す可搬式磁気ディスク装置の端子構造を示す図である
【符号の説明】
【００８９】
４０、７０、８０、９０  磁気ディスク装置
４１  磁気ディスク
４３、７１、８１、９１、１２３  ヘッド・ディスク・アセンブリ（ＨＤＡ）
４５、７３、８３、９３、１２５、１５０  プリント回路基板
４７、８５、９５  インターフェース・コネクタ
４９、８７  端子
５１  スリット
６０  ホスト・システムの磁気ディスク収納スペース
６１  ホスト・システムに設けられるコネクタ
６３  突出部
７５、１２９  接続パッド
８７、９７  脚部
９９  衝撃吸収支持材
１０１  フレキシブル・ケーブル（ＦＰＣ）
１１０、１２０  可搬式磁気ディスク装置
１１３  ハウジング本体
１１５  ハウジング蓋
１２１  上部ハウジング
１２７  ネジ
１２９  プリント回路基板の接続パッド
１３０  下部ハウジング
１３１  下部ハウジングの開口部
１５０  フレーム
１５１  フレーム脚
１５３    スリット
１５５    スリット開口
１７０  シャッター
１７１  シャッターの本体
１７３  シャッターの係合部
１７５  シャッターの遮蔽部
１７７  スプリング
【図１】
2005063577.tif 000003
【図２】
2005063577.tif 000004
【図３】
2005063577.tif 000005
【図４】
2005063577.tif 000006
【図５】
2005063577.tif 000007
【図６】
2005063577.tif 000008
【図７】
2005063577.tif 000009
【図８】
2005063577.tif 000010
【図９】
2005063577.tif 000011
【図１０】
2005063577.tif 000012
【図１１】
2005063577.tif 000013